(57)【要約】【課題】ユーザ及び実店舗に対応して出力されるリンク先のウェブページにおいて、ユーザが実店舗において使用した商品又は提供を受けたサービスが購入された場合、その商品又はサービスの一部を実店舗に分配する。【解決手段】出力手段は、ユーザが実店舗において使用した商品又は提供を受けたサービスについて、ユーザを識別するためのユーザ識別子及び実店舗を識別するための店舗識別子に対応するアフィリエイトリンクであって、商品を購入するための商品ページへのアフィリエイトリンクを出力する。分配手段は、この商品ページにおいて商品が購入された場合、商品の売上げの一部を実店舗に分配する。【選択図】図１３
2020030782.tif 000002
【特許請求の範囲】
【請求項１】
ユーザが実店舗において使用した商品又は提供を受けたサービスについて、当該ユーザを識別するためのユーザ識別子及び当該実店舗を識別するための店舗識別子に対応するリンクであって、当該商品又は当該サービスを購入するためのウェブページへのリンクを出力する出力手段と、
前記ウェブページにおいて前記商品又は前記サービスが購入された場合、当該商品又は当該サービスの売上げの一部を前記実店舗に分配する分配手段と
を有するサーバ装置。
【請求項２】
前記リンクは、前記ユーザが前記実店舗において借りた商品を購入するためのウェブページへのリンクである
請求項１に記載のサーバ装置。
【請求項３】
前記実店舗に設置された店舗端末から、前記商品を識別するための商品識別子、前記ユーザ識別子、及び前記店舗識別子を受信する受信手段と、
前記商品識別子、前記ユーザ識別子、及び前記店舗識別子を含むデータセットを記録するデータベースを記憶する記憶手段と
を有する請求項２に記載のサーバ装置。
【請求項４】
前記データベースに記録されている情報に基づいて前記ユーザに対し他の商品を推薦する推薦手段
を有する請求項３に記載のサーバ装置。
【請求項５】
前記データセットが、前記実店舗において前記ユーザに応対した店員を識別するための店員識別子を含む
請求項３又は４に記載のサーバ装置。
【請求項６】
前記分配手段が、前記売上げの一部を前記店員に分配する
請求項５に記載のサーバ装置。
【請求項７】
前記リンクが、第１ユーザが前記実店舗において使用した前記商品又は提供を受けた前記サービスについて、当該第１ユーザを識別するためのユーザ識別子及び当該実店舗を識別するための店舗識別子に対応するリンクであり、
前記リンクにより示される前記ウェブページを介して前記第１ユーザと異なる第２ユーザが前記商品又は前記サービスを購入した場合、前記分配手段は、当該商品又は当該サービスの売上げの一部を前記第１ユーザに分配する
請求項１乃至６のいずれか一項に記載のサーバ装置。
【請求項８】
前記リンクは、前記ユーザが前記実店舗において提供を受けたサービスを購入するためのウェブページへのリンクである
請求項１に記載のサーバ装置。
【請求項９】
前記ユーザが所持するユーザ端末から、前記商品又は前記サービスを識別するための商品又はサービス識別子、前記ユーザ識別子、及び前記店舗識別子を受信する受信手段と、
前記商品又は前記サービス識別子、前記ユーザ識別子、及び前記店舗識別子を含むデータセットを記録するデータベースを記憶する記憶手段と
を有する請求項８に記載のサーバ装置。
【請求項１０】
前記データベースは、第１ユーザのユーザ識別子に対応するリンクにより示されるウェブページを介して他のユーザが前記商品又は前記サービスを購入した実績を示す実績情報を記録し、
前記出力手段は、前記第１ユーザが所持するユーザ端末に対し、前記実績情報の少なくとも一部を出力する
請求項９に記載のサーバ装置。
【請求項１１】
前記ユーザから前記商品又は前記サービスに関するアフィリエイト申請を受け付ける受け付け手段を有し、
前記出力手段は、前記アフィリエイト申請に応じて前記リンクを出力する
請求項１乃至１０のいずれか一項に記載のサーバ装置。
【請求項１２】
ユーザが実店舗において使用した商品又は提供を受けたサービスについて、当該ユーザを識別するためのユーザ識別子及び当該実店舗を識別するための店舗識別子に対応するリンクであって、当該商品又は当該サービスを購入するためのウェブページへのリンクを出力する出力手段と、
前記ウェブページにおいて前記商品又は前記サービスが購入された場合、当該商品又は当該サービスの売上げの一部を前記実店舗に分配する分配手段と
を有する電子商取引システム。
【請求項１３】
ユーザが実店舗において使用した商品又は提供を受けたサービスについて、当該ユーザを識別するためのユーザ識別子及び当該実店舗を識別するための店舗識別子に対応するリンクであって、当該商品又は当該サービスを購入するためのウェブページへのリンクを出力するステップと、
前記ウェブページにおいて前記商品又は前記サービスが購入された場合、当該商品又は当該サービスの売上げの一部を前記実店舗に分配するステップと
を有する電子商取引方法。
【発明の詳細な説明】
【技術分野】
【０００１】
本発明は、電子商取引により商品又はサービスを取引する技術に関する。
【背景技術】
【０００２】
電子商取引により商品又はサービスを取引する技術が知られている。例えば特許文献１には、実店舗の店舗会員コードを会員データベースに登録し、クライアント端末との間で成立した電子商取引における取引額を実店舗毎に集計し、取引額に基づいて実店舗に特典を付与することが記載されている。
【先行技術文献】
【特許文献】
【０００３】
【特許文献１】特開２００３−２５６７２７号公報
【発明の概要】
【発明が解決しようとする課題】
【０００４】
ユーザは、例えば実店舗において実際に商品を手に取って確認した後、ＳＮＳ（social networking service）を利用してその商品を紹介する情報を発信する場合がある。この商品がＥＣ（electronic commerce）サイトにおいても販売されている場合、ユーザが発信する情報にＥＣサイトに含まれるこの商品を販売するページへのリンクが含まれていれば、他のユーザがこのリンクから商品のページにアクセスし、商品を購入することができる。この場合、ユーザが実店舗において実際に商品を確認、または商品を借り利用方法などを解説できたことが、他のユーザによる商品の購入に繋がったと考えられるため、実店舗も商品の売上げに貢献していると言える。しかし、特許文献１に記載の技術では、単にユーザが仮想店舗において商品を購入した場合に、予め登録された実店舗にその取引額に応じた特典を与えることが開示されているに過ぎず、上述したようにリンク先のウェブページにおいて他のユーザが商品を購入した場合に、その商品の売上げの一部を実店舗に分配することはできない。
【０００５】
本発明は、ユーザ及び実店舗に対応して出力されるリンク先のウェブページにおいて、ユーザが実店舗において使用した商品又は提供を受けたサービスが購入された場合、その商品又はサービスの一部を実店舗に分配することを目的とする。
【課題を解決するための手段】
【０００６】
本発明は、ユーザが実店舗において使用した商品又は提供を受けたサービスについて、当該ユーザを識別するためのユーザ識別子及び当該実店舗を識別するための店舗識別子に対応するリンクであって、当該商品又は当該サービスを購入するためのウェブページへのリンクを出力する出力手段と、前記ウェブページにおいて前記商品又は前記サービスが購入された場合、当該商品又は当該サービスの売上げの一部を前記実店舗に分配する分配手段とを有するサーバ装置を提供する。
【０００７】
前記リンクは、前記ユーザが前記実店舗において借りた商品を購入するためのウェブページへのリンクであってもよい。
【０００８】
前記サーバ装置は、前記実店舗に設置された店舗端末から、前記商品を識別するための商品識別子、前記ユーザ識別子、及び前記店舗識別子を受信する受信手段と、前記商品識別子、前記ユーザ識別子、及び前記店舗識別子を含むデータセットを記録するデータベースを記憶する記憶手段とを有してもよい。
【０００９】
前記サーバ装置は、前記データベースに記録されている情報に基づいて前記ユーザに対し他の商品を推薦する推薦手段を有してもよい。
【００１０】
前記データセットが、前記実店舗において前記ユーザに応対した店員を識別するための店員識別子を含んでもよい。
【００１１】
前記分配手段が、前記売上げの一部を前記店員に分配してもよい。
【００１２】
前記リンクが、第１ユーザが前記実店舗において使用した前記商品又は提供を受けた前記サービスについて、当該第１ユーザを識別するためのユーザ識別子及び当該実店舗を識別するための店舗識別子に対応するリンクであり、前記リンクにより示される前記ウェブページを介して前記第１ユーザと異なる第２ユーザが前記商品又は前記サービスを購入した場合、前記分配手段は、当該商品又は当該サービスの売上げの一部を前記第１ユーザに分配してもよい。
【００１３】
前記リンクは、前記ユーザが前記実店舗において提供を受けたサービスを購入するためのウェブページへのリンクであってもよい。
【００１４】
前記サーバ装置は、前記ユーザが所持するユーザ端末から、前記商品又は前記サービスを識別するための商品又はサービス識別子、前記ユーザ識別子、及び前記店舗識別子を受信する受信手段と、前記商品又は前記サービス識別子、前記ユーザ識別子、及び前記店舗識別子を含むデータセットを記録するデータベースを記憶する記憶手段とを有してもよい。
【００１５】
前記データベースは、第１ユーザのユーザ識別子に対応するリンクにより示されるウェブページを介して他のユーザが前記商品又は前記サービスを購入した実績を示す実績情報を記録し、前記出力手段は、前記第１ユーザが所持するユーザ端末に対し、前記実績情報の少なくとも一部を出力してもよい。
【００１６】
前記サーバ装置は、前記ユーザから前記商品又は前記サービスに関するアフィリエイト申請を受け付ける受け付け手段を有し、前記出力手段は、前記アフィリエイト申請に応じて前記リンクを出力してもよい。
【００１７】
また、本発明は、ユーザが実店舗において使用した商品又は提供を受けたサービスについて、当該ユーザを識別するためのユーザ識別子及び当該実店舗を識別するための店舗識別子に対応するリンクであって、当該商品又は当該サービスを購入するためのウェブページへのリンクを出力する出力手段と、前記ウェブページにおいて前記商品又は前記サービスが購入された場合、当該商品又は当該サービスの売上げの一部を前記実店舗に分配する分配手段とを有する電子商取引システムを提供する。
【００１８】
さらに、本発明は、ユーザが実店舗において使用した商品又は提供を受けたサービスについて、当該ユーザを識別するためのユーザ識別子及び当該実店舗を識別するための店舗識別子に対応するリンクであって、当該商品又は当該サービスを購入するためのウェブページへのリンクを出力するステップと、前記ウェブページにおいて前記商品又は前記サービスが購入された場合、当該商品又は当該サービスの売上げの一部を前記実店舗に分配するステップとを有する電子商取引方法を提供する。
【発明の効果】
【００１９】
本発明によれば、ユーザ及び実店舗に対応して出力されるリンク先のウェブページにおいて、ユーザが実店舗において使用した商品又は提供を受けたサービスが購入された場合、その商品又はサービスの一部を実店舗に分配することができる。
【図面の簡単な説明】
【００２０】
【図１】第１実施形態に係るシステム構成を例示する図。
【図２】本サービスの別の利用方法を例示する図。
【図３】本サービスの追加機能を例示する図。
【図４】本サービスの追加機能を例示する図。
【図５】本サービスの別の例を示す図。
【図６】本サービスの別の例を示す図。
【図７】第２実施形態に係る電子商取引システム１の構成の一例を示す図。
【図８】サーバ装置３０のハードウェア構成の一例を示す図。
【図９】ストレージ３３に記憶されたユーザデータベース３３１の一例を示す図。
【図１０】サーバ装置３０の機能構成の一例を示す図。
【図１１】レンタルデータベース３３２の一例を示す図。
【図１２】第２実施形態に係る処理の一例を示すシーケンスチャート。
【図１３】第２実施形態に係る処理の一例を示すシーケンスチャート。
【図１４】商品ページ１１０の一例を示す図。
【図１５】コンテンツ１２０の一例を示す図。
【図１６】第３実施形態に係る処理の一例を示すシーケンスチャート。
【図１７】コンテンツ１３０の一例を示す図。
【図１８】変形例に係るサーバ装置３０の機能構成の一例を示す図。
【発明を実施するための形態】
【００２１】
１．第１実施形態
図１は、第１実施形態に係るシステム構成を例示する図である。まず初回は（１）登録及び（２）本人確認を行う。本人確認の結果はデータとして入力され、サーバ装置（図１の「本件サイト」）に送信される。盗難防止のため、ユーザは初回に身分証明書を提出する。サーバ装置は、本人確認情報を外部サービス（図１の「他の事業者」）に依頼する。外部サービスは、証明書のデータからユーザ情報を入力するサービスである。外部サービスは、本人確認情報をデータ入力し、必要なデータをサーバ装置に提供する（３）。
【００２２】
ユーザ登録が完了すると、ユーザは本サービスと提携している企業の店舗（図１の「アパレル企業」）に行き、商品の貸し出しを受ける（４）。本サービスは、例えばいわゆるウェブサービス（ウェブアプリケーション）として提供されるので、ユーザは、自身のユーザ端末（例えばスマートフォン）にインストールされている汎用のウェブブラウザから本サービスのサーバ装置（サイト）にアクセスする。あるいは、ユーザ端末には本サービスを受けるための専用アプリケーションプログラム（以下「専用アプリ」という）がインストールされ、専用アプリを介してサーバ装置にアクセスしてもよい。サーバ装置にアクセスしたブラウザ又は専用アプリは、会員番号を示すコード画像（例えばＱＲコード（登録商標））を表示する。店舗において、店員はこのコード画像を読み取ることにより貸し出し処理を行う。例えば、商品は衣服であり、最大９０分間の貸し出しを受けることができる。荷物を店舗に預けることもできる。なお、本システムの会員に種別を設け（例えば「無料会員」及び「有料会員」）、会員の種別に応じて商品の貸し出し点数及び貸し出し時間に差を設けてもよい。
【００２３】
貸し出しを行うと、店舗端末（例えば、タブレット端末又はＰｏＳ（Point of sale system）端末等のコンピュータ装置）はレンタル情報をサーバ装置に送信する（５）。レンタル情報は、いつ誰に何を貸したのかを示す情報であり、時刻情報、ユーザ識別子、商品識別子、及び店舗識別子を含む。レンタル情報は、商品の貸し出し処理をした店員を識別する店員識別子を含んでもよい。サーバ装置は、店舗端末から送信されたレンタル情報をデータベースに記録する。
【００２４】
商品の貸し出しを受けている間、ユーザは、店舗から外出することができ、他の店舗において別の商品の貸し出しを受けて商品の組み合わせを試したり、写真撮影をしたり、撮影した写真をＳＮＳ（Social Networking Service）に投稿したりすることができる。
【００２５】
貸し出しを終了するとき、ユーザは店舗に行き、商品を返却する（６）。その商品が気に入れば購入することもできる。本サービスの運営会社（図１の「本件事業者」）は、一定期間終了後に貸し出しに係る商品を所定の価格で買い取る。運営会社はサーバ装置の運営を行い、運営費を得る。また、運営会社は、本サービスの会員企業から会費を徴収する。エンドユーザは会費無料である。
【００２６】
図２は、本サービスの別の利用方法を例示する図である。貸し出しの対象商品は、翌シーズンのサンプル商品であってもよい。この例によれば本システムをテストマーケティングに用いることができ、この結果（注文数）に応じて生産量を決めることができる。
【００２７】
図３及び図４は、本サービスの追加機能を例示する図である。ＡＩ（artificial intelligence）等の技術を用い、ユーザ本人又は他人のレンタル情報の履歴及び購買履歴から、商品の組み合わせの提案（レコメンド）を行ってもよい。提案した組み合わせと、その後、その商品をユーザが購入したか否かの情報をシステムにフィードバックし、提案のエンジンを改善してもよい。
【００２８】
図５及び図６は、本サービスの別の例を示す図である。本サービスは従来の単なるＥＣモール（アパレルのオンラインショッピングサイト等）とは違い、試着履歴データに基づき、本サービスで販売された売上げが、商業施設やアパレル企業の実店舗に還元されるサービスである。また商品の販売を行う、アフィリエイトに取り組む利用者にも利益が還元されるサービスである。
【００２９】
近年、ＥＣ事業者を始めとするＩＴ企業が、実店舗で商品を見たユーザに、ＥＣサイトでその商品を購入させるといったショールーミングを加速させている。このようなことを背景に商業施設等のリアルの店舗は、商品を見てもらえるものの、ＥＣサイトで買われることにより、売上げを確保できなかった。
【００３０】
本サービスはそれらの課題を解決するサービスである。購買が行われた起点が実店舗にある場合、売上げの一部を実店舗に分配する仕組みとなっている。想定ユーザは（１）一般的な消費者（図５の例）および（２）インフルエンサー（図６の例）である。インフルエンサーとは、ＳＮＳにおいて多数のフォロワーを有し、本サービスが提供するアフィリエイトプログラムに取り組む利用者、または、本サービスを利用するアパレル企業の商品や商業施設等の情報を発信する利用者をいう。
【００３１】
（１）一般的な利用者の場合
例えば一般的な利用者が商業施設で、本サービスを利用し、試着レンタルを行ったとする。レンタルした商品を返却後、その商品が欲しくなった場合、本サービスサイトにある試着履歴データから、本サービスのＥＣサイト（図５の「本件ＥＣモール」）にアクセスし、試着した商品を購入できる。この際、購買に繋がった要因として、事前に商業施設での試着が起点になったこと捉え、本サービスは事前に定めた料率に基づいて、売上げの一部を手数料として商業施設に分配する。当然、購入されたアパレルメーカーにも売上げが分配される。データ上では、事前の試着レンタル履歴の商品番号と、購入時の商品番号が紐付く。試着レンタル履歴のデータには、どの店舗で借りたかのデータが含まれており、それによって実店舗への売上げの分配を実現する。
【００３２】
（２）インフルエンサーの場合
インフルエンサーは、一般的な利用者と同様に、本サービスでリアル店舗で商品をレンタルし、その商品を着用してＳＮＳで投稿するように写真を撮る。その後、本サービスのＥＣサイトでアフィリエイトを行うための申請をする。ＥＣサイトは、申請に基づいて、アフィリエイトリンクのＵＲＬを生成し、インフルエンサーに送信する。
【００３３】
インフルエンサーは自身のＳＮＳやブログなどで、撮影した写真と共に閲覧者に商品が買われるようにアフィリエイトリンクのＵＲＬも投稿または記述する。そして閲覧者がその商品を購入した際、インフルエンサーには料率に基づいた手数料（コミッション）を受け取ることができる。それだけでなく本サービスのＥＣサイトでは、そのインフルエンサーがＳＮＳやブログ等で投稿する際に利用した写真は、本件サイトを利用したことで広告用の写真が撮影でき、その商品を貸し出した商業施設やアパレル企業の店舗にも売上げに対する貢献部分があると考え、事前に定めた料率に基づいて商業施設等の店舗にも売上げを分配する。
【００３４】
上述の第１実施形態は本システムの一例を示すものにすぎず、本発明はこれに限定されない。例えば、要求される機能を実現できるものであれば、本システムのハードウェア構成、並びにサーバ装置及びクライアント装置における機能の分担はどのようなものであってもよい。例えば、外部システムの機能の一部を本システムに実装してもよい。また、本システムのハードウェアにより実行されるプログラムは、ＣＤ−ＲＯＭ等の記録媒体に記憶されて提供されてもよいし、インターネット等を介したダウンロードにより提供されてもよい。あるいはブロックチェーンなどの技術を活用される場合でも良い。
【００３５】
２．第２実施形態
次に、第２実施形態を説明する。第２実施形態では、第１実施形態において説明したシステムのより具体的な実装の例を説明する。
【００３６】
２．１．構成
図７は、第２実施形態に係る電子商取引システム１の構成の一例を示す図である。電子商取引システム１においては、実店舗において販売する商品をウェブページにおいて購入することができる。電子商取引システム１は、複数のユーザ端末１０と、店舗端末２０と、サーバ装置３０とを備える。なお、図７に示す各装置の数は例示であり、これに限定されない。複数のユーザ端末１０、店舗端末２０、及びサーバ装置３０は、通信回線４０を介して接続されている。通信回線４０は、これらの装置間の通信を伝送する。通信回線４０には、例えばインターネット及び無線通信回線が含まれてもよい。
【００３７】
ユーザ端末１０は、ユーザにより所持され使用されるコンピュータ装置である。ユーザ端末１０には、例えばスマートフォン、タブレット端末等の携帯可能なコンピュータが用いられてもよい。ユーザ端末１０は、後述するサーバ装置３０と同様の構成に加えて、入力部１１と、表示部１２と、撮像部１３とを備える。入力部１１は、ユーザが操作して各種の情報を入力するのに用いられる。入力部１１には、例えばタッチパネル又は操作キーが用いられてもよい。表示部１２は、各種の画像を表示する。表示部１２には、例えば液晶ディスプレイが用いられてもよい。撮像部１３は、画像を撮像する。撮像部１３には、例えばデジタルカメラが用いられてもよい。ユーザ端末１０は、撮像部１３を用いてコードを読み取る機能を有する。このコードは、一次元コードであってもよいし、二次元コードであってもよい。
【００３８】
ユーザ端末１０を利用するユーザの中には、例えばインフルエンサーと呼ばれる人物と、フォロワーと呼ばれる人物とが含まれてもよい。インフルエンサーとは、世間に与える影響力が大きい情報の発信者をいう。インフルエンサーには、例えばＳＮＳにおいて多数のフォロワーを有する人が含まれてもよい。フォロワーとは、ＳＮＳにおいて特定のユーザが発信する情報に常に関心を持っている人をいう。
【００３９】
店舗端末２０は、実店舗に設置され、実店舗の店員により使用される。この実店舗とは、実際に商品を手に取って確認することができる店をいう。なお、以下の説明では、実店舗を単に「店舗」という。店員は、店舗において接客応対を行う。店舗端末２０には、例えばタブレット端末、ＰｏＳ端末等のコンピュータが用いられてもよい。店舗端末２０は、後述するサーバ装置３０と同様の構成に加えて、入力部２１と、表示部２２と、読み取り部２３とを備える。入力部２１は、店員が操作して各種の情報を入力するのに用いられる。入力部２１には、タッチパネル、操作キー、又はキーボードとマウスが用いられてもよい。表示部２２は、各種の画像を表示する。表示部２２には、例えば液晶ディスプレイが用いられてもよい。読み取り部２３は、コードを読み取る。読み取り部２３には、例えばバーコードリーダ又は二次元コードリーダが用いられてもよい。あるいは、読み取り部２３には、例えばタブレット端末に付随しているカメラや、ＰｏＳ端末のハンディターミナルが用いられてもよい。
【００４０】
図８は、サーバ装置３０のハードウェア構成の一例を示す図である。サーバ装置３０は、ウェブサーバの機能を有し、ＥＣサイトを提供する。ＥＣサイトには、複数の商品ページが含まれる。商品ページは、商品を販売するウェブページである。ＥＣサイトにおいて販売される商品には、実店舗において販売される商品が含まれる。サーバ装置３０には、例えば汎用のコンピュータが用いられてもよい。例えばサーバ装置３０は、プロセッサ３１と、メモリ３２と、ストレージ３３と、通信インタフェース３４とを備える。これらの構成は、バス３５を介して接続されている。プロセッサ３１は、プログラムをメモリ３２に読み出して実行することにより、各種の処理を実行する。プロセッサ３１には、例えばＣＰＵ（Central Processing Unit）が用いられてもよい。メモリ３２は、プロセッサ３１により実行されるプログラムを記憶する。メモリ３２には、例えばＲＯＭ（Read Only Memory）及びＲＡＭ（Random Access Memory）が用いられてもよい。ストレージ３３は、各種のデータ及びプログラムを記憶する。ストレージ３３には、例えばハードディスク又はフラッシュメモリが用いられてもよい。通信インタフェース３４は、通信回線４０に接続され、通信回線４０を介してデータ通信を行う。
【００４１】
図９は、ストレージ３３に記憶されたユーザデータベース３３１の一例を示す図である。ユーザデータベース３３１には、ユーザ識別子と関連付けて、ユーザ情報が含まれる。ユーザ識別子は、ユーザを一意に識別する情報である。ユーザ識別子には、例えば会員番号が用いられてもよい。ユーザ情報は、ユーザに関する情報である。ユーザ情報には、例えば本人確認情報と、個人情報と、属性情報と、決済情報とが含まれる。本人確認情報は、ユーザの本人認証が済んでいることを示す情報である。一例において、未登録のユーザが電子商取引システム１に会員登録する際には、本人認証が行われる。本人認証は、例えば、入力された電話番号に対してＳＭＳ（Short Message Service）を介して一時的なＰＩＮ（Personal Identification Number）コードを送信し、ウェブページにおいてユーザにこのＰＩＮコードを入力させることにより行われる。あるいは、本人認証は、本人確認書類（運転免許証等）を撮影した写真をユーザがユーザ端末１０を介してサーバ装置３０に送信し、サーバ装置３０又は他のサーバ装置が本人確認書類をデータベースに記録することにより行われてもよい。個人情報は、ユーザ個人を識別し得る情報である。個人情報には、例えばユーザの住所、氏名、電話番号、メールアドレスが用いられてもよい。属性情報は、ユーザの属性を示す情報である。属性情報には、例えばユーザの性別及び年齢が用いられてもよい。決済情報は、決済に用いられる情報である。決済情報には、例えばクレジットカードの番号又は金融機関の口座を示す口座情報が用いられてもよい。これらの情報は、例えばＥＣサイトのユーザ登録時に入力されてもよい。
【００４２】
図１０は、サーバ装置３０の機能構成の一例を示す図である。サーバ装置３０は、受信手段３０１と、受け付け手段３０２と、生成手段３０３と、出力手段３０４と、決済処理手段３０５と、分配手段３０６として機能する。これらの機能は、メモリ３２に記憶されたプログラムと、このプログラムを実行するプロセッサ３１との協働により、プロセッサ３１が演算を行い又は通信インタフェース３４による通信を制御することにより実現される。
【００４３】
受信手段３０１は、店舗において商品を使用したユーザを識別するためのユーザ識別子、この店舗を識別するための店舗識別子、この商品を識別するための商品識別子、及びこのユーザに応対した店員を識別するための店員識別子を店舗端末２０から受信する。商品識別子は、商品を一意に識別する情報である。ユーザ識別子は、ユーザを一意に識別する情報である。店舗識別子は、店舗を一意に識別する情報である。店員識別子は、店員を一意に識別する情報である。商品識別子、ユーザ識別子、店舗識別子、及び店員識別子は、それぞれ、例えば文字、数字、記号、又はこれらのうち少なくとも２つの組合せにより構成されてもよい。この商品の使用には、例えば商品の貸し出しを受けたことが含まれてもよい。受信手段３０１により受信されたユーザ識別子、店舗識別子、商品識別子、及び店員識別子を含むデータセットは、ストレージ３３に記憶されたレンタルデータベース３３２に記録される。
【００４４】
図１１は、レンタルデータベース３３２の一例を示す図である。レンタルデータベース３３２には、ユーザが店舗において商品を使用した日時を示す日時情報と、受信手段３０１が受信したユーザ識別子、店舗識別子、商品識別子、及び店員識別子とが関連付けて含まれる。なお、店員識別子はレンタルデータベース３３２の必須項目ではなく、店舗端末２０は店員識別子を含まないデータをサーバ装置３０に送信してもよい。
【００４５】
受け付け手段３０２は、ユーザから商品に関するアフィリエイト申請を受け付ける。アフィリエイト申請は、商品識別子及びユーザ識別子を含む。このアフィリエイトとは、ユーザがウェブを利用して商品又はサービスを紹介することで他のユーザが商品を購入した場合に、報酬を受け取ることができる仕組みをいう。この申請の受け付けは、例えばユーザが使用するユーザ端末１０からアフィリエイトの申請情報を受信することにより実現されてもよい。
【００４６】
生成手段３０３は、受信手段３０１が受信したユーザ識別子及び店舗識別子に対応するリンクであって、受信手段３０１が受信した商品識別子により識別される商品を購入するためのウェブページへのリンクを生成する。この「対応する」とは、１のユーザ識別子と店舗識別子との組に対して、１のリンクが用いられることを意味する。ユーザ識別子又は店舗識別子が異なる場合には、別のリンクが用いられる。リンクとは、ウェブページの所在を示す情報をいう。このウェブページは、例えばユーザが店舗において借りた商品を販売する商品ページであってもよい。
【００４７】
出力手段３０４は、アフィリエイト申請に応じて、生成手段３０３が生成したリンクを出力する。このリンクの出力は、例えばユーザ端末１０にリンクを送信することにより実現されてもよい。
【００４８】
決済処理手段３０５は、ＥＣサイトにおいて商品が購入されると、その商品の対価を決済する決済処理を行う。この決済処理では、例えばユーザからＥＣサイトの運営者に商品の対価の支払いが行われる。この決済処理は、クレジットカードを利用して行われてもよいし、金融機関の口座を用いて行われてもよい。
【００４９】
分配手段３０６は、ウェブページにおいて商品が購入された場合、その商品の売上げの一部を店舗及び店員に分配する。この分配は、例えば金融機関の口座への振り込みにより行われてもよいし、ＥＣサイトや提携店舗において商品やサービスの購入に使用できるポイントを付与することにより行われてもよい。あるいは、この分配は、電子マネーの送金により行われてもよい。
【００５０】
２．２．動作
図１２及び１３は、第２実施形態に係る電子商取引システム１の処理の一例を示すシーケンスチャートである。複数のユーザ端末１０には、ユーザ端末１０Ａと、ユーザ端末１０Ｂとが含まれる。ユーザ端末１０Ａは、インフルエンサー等のユーザＡにより使用される。ユーザ端末１０Ｂは、ユーザＡのフォロワー等のユーザＡとは異なるユーザＢにより使用される。なお、以下の説明では、ユーザ端末１０Ａ、１０Ｂの構成には、それぞれ符号の末尾に「Ａ」、「Ｂ」を付して説明する。ユーザＡは店舗へ行き、所望の商品の貸し出しを受ける。この店舗は、例えば洋服を販売する店であり、商品は洋服である。
【００５１】
ステップＳ１１において、店舗端末２０は、店員のアカウント情報を用いて、ＥＣサイトにログインする。例えば店舗の店員は、予めユーザ登録を行っており、ＥＣサイトのアカウント情報を有している。店舗端末２０は、店員の操作に応じてアカウント情報が入力されると、入力されたアカウント情報をサーバ装置３０に送信して、ＥＣサイトにログインする。
【００５２】
ステップＳ１２において、店舗端末２０は、ユーザＡのユーザ識別子を示す第１のコードを、読み取り部２３を用いて読み取る。例えばユーザＡは、予めユーザ登録を行っており、ＥＣサイトのアカウント情報を有している。ユーザＡは、入力部１１Ａを用いた操作により、予めＥＣサイトにアカウント情報を入力してログインしている。ユーザ端末１０Ａは、ユーザＡの操作により第１のコードの取得が指示されると、サーバ装置３０に第１のコードの取得要求を送信する。この取得要求に応じてサーバ装置３０からユーザ端末１０Ａに第１のコードが送信されると、この第１のコードが表示部１２Ａに表示される。店員は、読み取り部２３を表示部１２Ａに表示されたコードにかざす。読み取り部２３は、表示部１２Ａに表示された第１のコードを読み取ってユーザ識別子を取得する。ユーザ識別子は、例えば「Ｕ００１」である。
【００５３】
ステップＳ１３において、店舗端末２０は、店舗を一意に識別する店舗識別子とユーザＡに貸し出す商品を一意に識別する商品識別子とを示す第２のコードを、読み取り部２３を用いて読み取る。この第２のコードは、予め用意され、例えば商品に取り付けられている。店員は、読み取り部２３を第２のコードにかざす。読み取り部２３は、第２のコードを読み取って店舗識別子と商品識別子とを取得する。店舗識別子は、例えば「Ｘ店」である。商品識別子は、例えば「Ｍ１２３４５」である。
【００５４】
ステップＳ１４において、店舗端末２０は、レンタル情報をサーバ装置３０に送信する。このレンタル情報は、いつ誰に何を貸し出したのかを示す情報である。レンタル情報には、商品を貸し出した日時を示す日時情報と、ステップＳ１２又はＳ１３において取得されたユーザ識別子、店舗識別子、及び商品識別子とが含まれる。
【００５５】
ステップＳ１５において、サーバ装置３０は、受信手段３０１においてレンタル情報を受信すると、受信したレンタル情報と、ログインしている店員、すなわちユーザＡに応対した店員の店員識別子とをレンタルデータベース３３２に記録する。この店員識別子は、例えば図９に示すユーザデータベース３３１から読み出されて用いられてもよい。あるいは、レンタル情報が店員識別子を含んでいてもよい。
【００５６】
図１１に示すように、レンタルデータベース３３２には、日時情報「２０１８年９月１日」と、ユーザ識別子「Ｕ００１」と、店舗識別子「Ｘ店」と、商品識別子「Ｍ１２３４５」と、店員識別子「Ｓ０１０」とを含むデータセットが記録される。これは、２０１８年９月１日に、ユーザ識別子が「Ｕ００１」のユーザＡが、店舗識別子が「Ｘ店」の店舗で、商品識別子が「Ｍ１２３４５」の商品の貸し出しを受けたことを示す。また、商品の貸し出しの際に、店員識別子が「Ｓ１０１」の店員がユーザＡに応対したことを示す。
【００５７】
貸し出し手続きが完了すると、ユーザＡは、商品を借りて所定の時間、店舗から外出することができる。例えばユーザＡは、借りた洋服を着て店舗から外出する。この間、ユーザＡは、他の店舗において別の商品との組合せを試したり、商品を身に着けた自分の写真を撮影したり、ＳＮＳを利用して写真を投稿したりすることができる。
【００５８】
貸し出しを終了するとき、ユーザＡは店舗に戻り、借りた商品を返却する。ここでユーザＡは、商品が気に入れば店舗において購入してもよいし、商品を購入しなくてもよい。店舗において商品を購入しなかった場合でも、ユーザＡは、ＥＣサイトにおいてこの商品を購入してもよい。この場合、以下の処理が行われる。
【００５９】
ステップＳ１６において、ユーザ端末１０Ａは、ユーザＡの操作に応じて、ＥＣサイトに含まれるユーザＡが借りた商品を販売する商品ページ１１０を表示部１２Ａに表示する。例えばユーザ端末１０Ａは、ユーザＡの操作によりＥＣサイトにアクセスする。ユーザ端末１０Ａは、ユーザＡの操作によりユーザＡが借りた商品を販売する商品ページ１１０を表示するよう指示されると、ＥＣサイトの商品ページ１１０の表示に用いられる表示データの取得要求をサーバ装置３０に送信する。この取得要求に応じてサーバ装置３０からユーザ端末１０Ａに表示データが送信されると、この表示データに応じた商品ページ１１０が表示部１２Ａに表示される。
【００６０】
図１４は、商品ページ１１０の一例を示す図である。商品ページ１１０には、商品の画像１１１と、商品の詳細情報１１２と、購入ボタン１１３とが含まれる。この商品を購入する場合、ユーザＡは、入力部１１Ａを用いて購入ボタン１１３を押す。
【００６１】
ステップＳ１７において、ユーザ端末１０Ａは、購入ボタン１１３が押されると、商品の購入要求をサーバ装置３０に送信する。この購入要求には、ユーザ識別子「Ｕ００１」と商品識別子「Ｍ１２３４５」とが含まれる。
【００６２】
ステップＳ１８において、サーバ装置３０は、この購入要求を受信すると、決済処理手段３０５において商品の代金の決済処理を行う。この決済処理では、例えばユーザデータベース３３１において、ユーザ識別子「Ｕ００１」と関連付けられた決済情報が用いられ、商品の代金の支払いが行われる。決済処理が完了すると、商品がユーザＡに納入される。
【００６３】
ステップＳ１９において、サーバ装置３０は、ユーザＡが購入した商品を店舗において借りていたか否かを判定する。例えば購入要求に含まれるユーザ識別子「Ｕ００１」と商品識別子「Ｍ１２３４５」との組がレンタルデータベース３３２に含まれない場合、ステップＳ１９の判定がＮＯになる。この場合、この処理は終了する。一方、図１１に示すように、レンタルデータベース３３２にユーザ識別子「Ｕ００１」と商品識別子「Ｍ１２３４５」との組が含まれる場合、ステップＳ１９の判定がＹＥＳになる。この場合、処理はステップＳ２０に進む。
【００６４】
ステップＳ２０において、サーバ装置３０は、ユーザＡが購入した商品の売上げの一部を分配手段３０６においてユーザＡに商品を貸し出した店舗及びユーザＡを応対した店員に分配する。例えば商品識別子が「Ｍ１２３４５」の商品の代金のうち所定の比率の金額が、店舗識別子が「Ｘ店」の店舗及び店員識別子が「Ｓ０１０」の店員に分配される。例えば商品の代金のうち第１の比率の金額が店舗に分配され、商品の代金のうち第２の比率の金額が店員に分配される。残りの金額は、ＥＣサイトの運営者に分配される。このとき、第１の比率は、運営者に分配される金額の比率より大きくてもよい。また、第２の比率は、運営者に分配される金額の比率より小さくてもよい。店舗への分配は、例えば金融機関の口座への振り込みにより行われてもよい。また、店員への分配は、金額に応じたポイントを付与することにより行われてもよい。
【００６５】
なお、ユーザＡが同一の商品を複数の店舗において借りた記録がレンタルデータベース３３２に残っていた場合、サーバ装置３０は、売上げ分配の対象となる店舗を、所定のルールに従って決定する。一例において、売上げ分配の対象となる店舗は、その商品を最初に借りた店舗である。あるいは、その商品を借りた全ての店舗を売上げ分配の対象としてもよい。この場合において、ユーザがその商品を借りた順番に応じて決められる係数（例えば最初に借りた店舗に対して大きい係数、最後に借りた店舗に対して小さい係数）、又はユーザの利用実績に応じて決められる係数（例えばユーザの利用頻度が高い店舗に対して大きい係数、利用頻度が低い店舗に対して小さい係数）に従って売上げが分配されてもよい。
【００６６】
一方、ユーザＡは、店舗において借りた商品を店舗及びＥＣサイトのいずれにおいても購入しなかった場合でも、ＳＮＳを利用してその商品を紹介するコンテンツを投稿してもよい。この場合、図１２に示すステップＳ１６からＳ２０の処理に代えて、図１３に示す以下の処理が行われる。
【００６７】
ステップＳ２１において、ユーザ端末１０Ａは、ユーザＡの操作に応じて、アフィリエイトの申請情報をサーバ装置３０に送信する。この申請情報には、ユーザ識別子「Ｕ００１」と、店舗識別子「Ｘ店」と、商品識別子「Ｍ１２３４５」と、店員識別子「Ｓ０１０」が含まれる。これらの店舗識別子「Ｘ店」及び商品識別子「Ｍ１２３４５」は、例えばユーザＡが店舗に行ったときに、ユーザ端末１０Ａが上述した第２のコードを撮像部１３Ａを用いて読み取ることにより予め取得されてもよい。この場合、第２コードが示す情報には、店員識別子「Ｓ０１０」が含まれていてもよい。
【００６８】
ステップＳ２２において、サーバ装置３０は、受け付け手段３０２においてこの申請情報を受信すると、生成手段３０３においてアフィリエイトリンク１２３を生成する。このアフィリエイトリンク１２３は、ＥＣサイトに含まれる商品識別子が「Ｍ１２３４５」の商品を販売する商品ページ１１０のアドレスを示すリンクである。また、アフィリエイトリンク１２３は、ユーザ識別子「Ｕ００１」、店舗識別子「Ｘ店」、及び店員識別子「Ｓ０１０」に対応する。
【００６９】
ステップＳ２３において、サーバ装置３０は、生成されたアフィリエイトリンク１２３を出力手段３０４からユーザ端末１０Ａに送信する。
【００７０】
ステップＳ２４において、ユーザ端末１０Ａは、ユーザＡの操作に応じて、ユーザＡが借りた商品を紹介するコンテンツであって、アフィリエイトリンク１２３を含むコンテンツ１２０を生成し、ＳＮＳを利用してこのコンテンツ１２０を投稿する。
【００７１】
図１５は、コンテンツ１２０の一例を示す図である。コンテンツ１２０には、借りた商品を着用したユーザＡの写真１２１と、ユーザＡが記載したこの商品を紹介するテキスト１２２と、アフィリエイトリンク１２３とが含まれる。このテキスト１２２は、例えば洋服の着心地や着用した感想を示すものであってもよい。なお、図１５に示す例では、アフィリエイトリンク１２３が個別に表示されているが、アフィリエイトリンク１２３は写真１２１に埋め込まれていてもよい。
【００７２】
ステップＳ２５において、ユーザ端末１０Ｂは、ＳＮＳを利用してユーザＡにより投稿されたコンテンツ１２０を表示部１２Ｂに表示する。例えば図１５に示すコンテンツ１２０が表示され、ユーザＢはこれを閲覧する。このコンテンツ１２０において紹介された商品に興味がある場合、ユーザＢは、入力部１１Ｂを用いた操作によりアフィリエイトリンク１２３を選択する。
【００７３】
ステップＳ２６において、ユーザ端末１０Ｂは、アフィリエイトリンク１２３の選択に応じて、アフィリエイトリンク１２３のリンク先であるＥＣサイトの商品ページ１１０を表示部１２Ｂに表示する。例えばユーザ端末１０Ｂは、アフィリエイトリンク１２３が示すアドレスを用いて商品ページ１１０を表示するための表示データの取得要求をサーバ装置３０に送信する。この取得要求に応じてサーバ装置３０からユーザ端末１０Ｂに表示データが送信されると、この表示データに応じた商品ページ１１０が表示部１２Ｂに表示される。商品を購入する場合、例えばユーザＢは、入力部１１Ｂを用いて図１４に示す購入ボタン１１３を押す。
【００７４】
ステップＳ２７において、ユーザ端末１０Ｂは、上述したステップＳ１７と同様に、購入ボタン１１３の押下に応じて、商品の購入要求をサーバ装置３０に送信する。この購入要求には、例えばユーザ識別子「Ｕ００２」と、商品識別子「Ｍ１２３４５」と、店員識別子「Ｓ０１０」とが含まれる。
【００７５】
ステップＳ２８において、サーバ装置３０は、この購入要求を受信すると、上述したステップＳ１８と同様に、決済処理手段３０５において商品の代金の決済処理を行う。この決済処理では、例えばユーザデータベース３３１において、ユーザ識別子「Ｕ００２」と関連付けられた決済情報が用いられる。この決済情報を用いて、商品の代金の支払いが行われる。決済処理が完了すると、ユーザＢに商品が納入される。
【００７６】
ステップＳ２９において、サーバ装置３０は、ユーザＢが購入した商品の売上げの一部を分配手段３０６においてアフィリエイトリンク１２３に対応するユーザＡ、ユーザＡに商品を貸し出した店舗、及びユーザＡを接客した店員に分配する。例えば商品識別子が「Ｍ１２３４５」の商品の代金のうち所定の比率の金額が、ユーザ識別子が「Ｕ００１」のユーザＡ、店舗識別子が「Ｘ店」の店舗、及び店員識別子が「Ｓ０１０」の店員に分配される。例えば商品の代金のうち第３の比率の金額がユーザＡに分配され、商品の代金のうち第４の比率の金額が店舗に分配され、商品の代金のうち第５の比率の金額が店員に分配される。残りの金額は、ＥＣサイトの運営者に分配される。このとき、第４の比率は、運営者に分配される金額の比率及び第３の比率より大きくてもよい。また、第３の比率は、第５の比率より大きくてもよい。さらに、第５の比率は、運営者に分配される金額の比率より小さくてもよい。店舗への分配は、例えば金融機関の口座への振り込みにより行われてもよい。また、ユーザＡ及び店員への分配は、金額に応じたポイントを付与することにより行われてもよい。
【００７７】
なお、上述した第２実施形態では、「ストレージ３３」、「レンタルデータベース３３２」、「ユーザＡ」、「ユーザＢ」が、それぞれ本発明に係る「記憶手段」、「データベース」、「第１ユーザ」、「第２ユーザ」として用いられている。
【００７８】
以上説明した第２実施形態によれば、ユーザＡが店舗において商品を借りた後、ユーザＡがＥＣサイトにおいてその商品を購入した場合、その商品の売上げの一部を店舗に分配することができる。また、ユーザＡが店舗において商品を借りた後、ユーザＡが投稿したコンテンツを見た他のユーザＢが、そのコンテンツに含まれるリンク先の商品ページにおいてその商品を購入した場合、その商品の売上げの一部をユーザＡ及び店舗に分配することができる。さらに、これらの場合に、店舗においてユーザＡに応対した店員にも、その商品の売上げの一部を個別に分配することができる。
【００７９】
３．第３実施形態
上述した第２実施形態では、ユーザが店舗において商品の貸し出しを受けていたが、第３実施形態では、ユーザは店舗において販売されている商品を紹介する投稿、ライブ配信、又は録画での配信を行う。このライブ配信とは、リアルタイムで動画を配信することをいう。この商品は、洋服の他、電化製品、書籍、化粧品等、どのような商品であってもよい。第３実施形態に係る電子商取引システム１の構成は、第２実施形態に係る電子商取引システム１の構成と同様であるため、その説明を省略する。なお、第３実施形態においては、ユーザが店舗において使用した商品には、ユーザが店舗において投稿等を生成するのに使用した商品、すなわちユーザが紹介する商品が含まれる。
【００８０】
図１６は、第３実施形態に係る電子商取引システム１の処理の一例を示すシーケンスチャートである。ユーザＡは店舗において販売されている商品を紹介する投稿を行うために、その店舗へ行く。この店舗は、例えば洋服、電化製品、書籍、化粧品等、ユーザＡが所望の商品を販売する店である。
【００８１】
ステップＳ３１において、ユーザ端末１０Ａは、店舗を一意に識別する店舗識別子とユーザＡが所望の商品を一意に識別する商品識別子とを示すコードを、撮像部１３Ａを用いて読み取る。例えば店舗識別子を示すコードは店頭に用意されており、商品識別子を示すコードは商品に取り付けられていてもよい。この場合、ユーザＡは、撮像部１３Ａをこれらのコードにそれぞれかざす。撮像部１３Ａは、コードを読み取って店舗識別子と商品識別子とを取得する。店舗識別子は、例えば「Ｘ店」である。商品識別子は、例えば「Ｍ６７８９０」である。
【００８２】
ステップＳ３２において、ユーザ端末１０Ａは、上述したステップＳ２１と同様に、アフィリエイトの申請情報をサーバ装置３０に送信する。この申請情報には、ユーザ識別子「Ｕ００１」と、店舗識別子「Ｘ店」と、商品識別子「Ｍ６７８９０」とが含まれる。
【００８３】
ステップＳ３３において、サーバ装置３０は、上述したステップＳ２２と同様に、受け付け手段３０２においてこの申請情報を受信すると、生成手段３０３においてアフィリエイトリンク１３２を生成する。このアフィリエイトリンク１３２は、ＥＣサイトに含まれる商品識別子が「Ｍ６７８９０」の商品を販売する商品ページへのリンクであり、この商品ページのアドレスを示す。また、このアフィリエイトリンク１３２は、ユーザ識別子「Ｕ００１」及び店舗識別子「Ｘ店」に対応する。また、申請情報は、図１１に示すレンタルデータベース３３２と同様に、ストレージ３３に記憶されたアフィリエイトデータベースに記録される。ただし、アフィリエイトデータベースに含まれる日時情報は、アフィリエイトが申請された日時を示す。また、アフィリエイトデータベースには、図１１に示すレンタルデータベース３３２に含まれる店員識別子は含まれなくてもよい。
【００８４】
ステップＳ３４において、サーバ装置３０は、上述したステップＳ２３と同様に、生成されたアフィリエイトリンク１３２を出力手段３０４からユーザ端末１０Ａに送信する。
【００８５】
ステップＳ３５において、ユーザ端末１０Ａは、ユーザＡの操作に応じて、ユーザＡが所望の商品を紹介するコンテンツ１３０を生成し、ＳＮＳを利用してこのコンテンツ１３０を投稿する。このコンテンツ１３０には、アフィリエイトリンク１３２が含まれる。コンテンツ１３０は、動画であってもよいし、静止画又はテキストであってもよい。
【００８６】
図１７は、コンテンツ１３０の一例を示す図である。コンテンツ１３０には、ユーザＡが商品を紹介する動画１３１と、アフィリエイトリンク１３２とが含まれる。
【００８７】
ステップＳ３６〜ステップＳ４０の処理は、上述したステップＳ２５〜Ｓ２９と同様であるため、その説明を省略する。
【００８８】
なお、上述した第３実施形態では、「ストレージ３３」、「アフィリエイトデータベース」、「ユーザＡ」、「ユーザＢ」が、それぞれ本発明に係る「記憶手段」、「データベース」、「第１ユーザ」、「第２ユーザ」として用いられている。
【００８９】
以上説明した第３実施形態によれば、ユーザＡが店舗において販売される商品を紹介したコンテンツを見た他のユーザＢが、そのコンテンツに含まれるリンク先の商品ページにおいてその商品を購入した場合、その商品の売上げの一部をユーザＡ及び店舗に分配することができる。
【００９０】
４．変形例
本発明は上述した実施形態に限定されない。上述した実施形態に対し、種々の変形がなされてもよい。また、以下の変形例が組み合わせて実施されてもよい。さらに、第１〜第３実施形態のうちいずれか一の実施形態の一部の事項が、他の実施形態の事項に対し追加又は置換して用いられてもよい。
【００９１】
上述した第２及び第３実施形態において、第１のユーザの購入履歴に応じて、第２のユーザに対し商品が推薦されてもよい。この場合、例えばユーザデータベース３３１には、各ユーザが商品を購入した履歴を示す購入履歴情報が記録される。この購入履歴情報には、例えばユーザが購入した商品の商品識別子が含まれる。また、サーバ装置３０は、図１８に示すように、図１０に示す機能に加えて推薦手段３０７を有する。推薦手段３０７は、ユーザデータベース３３１に含まれる情報に基づいてユーザに対し商品を推薦する。例えば推薦手段３０７は、ユーザデータベース３３１に含まれる属性情報と購入履歴情報とを機械学習することにより、ユーザの属性と購入する商品の傾向との対応関係を示すモデルを生成する。そして、推薦手段３０７は、ユーザ又は他のユーザがＥＣサイトにアクセスすると、このモデルを用いて、そのユーザ又は他のユーザの属性に対応する商品を決定し、その商品を推薦する推薦情報をＥＣサイトに出力する。推薦する商品は、例えばユーザ又は他のユーザがアクセスした商品ページ１１０において販売される商品と組み合わせて使用される商品であってもよい。同様に、推薦手段３０７は、ユーザデータベース３３１とレンタルデータベース３３２又はアフィリエイトデータベースとに含まれる情報に基づいてユーザに対し商品が推薦されてもよい。
【００９２】
上述した第２及び第３実施形態において、ユーザ端末１０Ａに対し、アフィリエイトリンク１２３又は１３２により示される商品ページ１１０を介して他のユーザが商品を購入した実績を示す実績情報が出力されてもよい。この場合、ユーザデータベース３３１、レンタルデータベース３３２、又はアフィリエイトデータベースには、ユーザ毎に、そのユーザに対応するアフィリエイトリンク１２３又は１３２により示される商品ページ１１０を介して他のユーザが商品を購入した実績を示す実績情報が記録される。この実績情報には、例えば他のユーザを識別するユーザ識別子と、他のユーザが購入した商品の合計金額とが含まれる。例えば、ユーザデータベース３３１に含まれる実績情報から、合計金額が多い順番に所定数の他のユーザの実績情報が抽出され、抽出された実績情報がサーバ装置３０からユーザ端末１０Ａに送信され、表示部１２Ａに表示されてもよい。
【００９３】
上述した第２実施形態において、ユーザＡ又はユーザＢは、ＥＣサイトに商品のレビューを投稿してもよい。この場合、例えばユーザＡ又はユーザＢが商品を購入した場合には、ユーザＡ又はユーザＢにより投稿されたレビューがＥＣサイト上で表示されてもよい。一方、例えばユーザＡが商品を借りた後、商品を購入しなかった場合には、ユーザＡにより投稿されたレビューがＥＣサイト上で非表示にされてもよい。
【００９４】
上述した第２実施形態において、ＥＣサイト上には、そのＥＣサイトにおいて販売されている商品を紹介するために各ユーザにより投稿されたコンテンツの少なくとも一部が表示されてもよい。例えばユーザＡにより投稿された図１５に示すコンテンツ１２０に含まれる写真１２１がＥＣサイト上に表示されてもよい。この場合、例えば他のユーザがＥＣサイトからコンテンツ１２０にアクセスし、コンテンツ１２０に含まれるアフィリエイトリンク１２３を選択し、アフィリエイトリンク１２３により示される商品ページ１１０を介して商品を購入した場合には、上述した第２実施形態と同様に、この商品の売上げの一部がユーザＡに分配されてもよい。
【００９５】
上述した第３実施形態において、ユーザＡは、実店舗において購入した商品を紹介するコンテンツを生成してもよい。すなわち、コンテンツは必ずしも実店舗において生成されなくてもよく、ユーザの自宅等の他の場所において生成され、投稿されてもよい。
【００９６】
上述した第３実施形態において、上述した第２実施形態と同様に、商品の売上げの一部が店員に分配されてもよい。この場合、ユーザ端末１０Ａは、店員を一意に識別する店員識別子を示すコードを、撮像部１３Ａを用いて読み取る。
【００９７】
上述した第３実施形態において、ユーザＡが使用し、他のユーザＢが購入する対象は、商品に限定されない。例えば店舗において提供されるサービスであってもよい。このサービスには、例えばマッサージ、ヘアカット、メイクアップ、客にボーリング又はダーツをさせるサービス、及び飲食の提供等が含まれてもよい。この場合、上述した商品識別子に代えて、サービスを一意に識別するサービス識別子が用いられてもよい。
【００９８】
ユーザ端末１０又は店舗端末２０が、店舗識別子、商品識別子、及びユーザ識別子等の識別子を取得する手法は、可視化されたコードをカメラで読み取るものに限定されない。例えば、店舗は、ＢＬＥ（Bluetooth(登録商標) Low Energy）を用いたいわゆるビーコン技術により、店舗情報を含むビーコン信号を送信してもよい。この場合、ユーザ端末１０は、このビーコン信号を受信し、自身がいる店舗の店舗識別子を取得する。あるいは、ユーザ端末１０は、ＧＰＳ（Global Positioning System）信号又は無線ＬＡＮ（Local Area Network）のアクセスポイントから得られる位置情報に基づいて自身がいる店舗を特定し、その店舗の店舗識別子を取得してもよい。また、商品識別子については、商品識別子が記録された無線ＩＣタグを商品に取り付け、ユーザ端末１０でこの無線ＩＣタグから商品識別子を読み取ってもよい。これらはあくまで識別子を取得する手法の一例であり、どのような技術が用いられてもよい。
【００９９】
上述した第２及び第３実施形態において、電子商取引システム１の機能を実現する主体は、上述した各実施形態において説明した例に限定されない。サーバ装置３０の機能の一部を他の装置が有してもよい。例えば、サーバ装置３の機能の一部を他のサーバ装置に実装してもよいし、ユーザ端末１０に実装してもよい。
【０１００】
上述した第２及び第３実施形態において、電子商取引システム１において行われる処理のステップは、上述した各実施形態で説明した例に限定されない。この処理のステップは、矛盾のない限り、入れ替えられてもよい。本発明は電子商取引システム１において行われる処理のステップを備える電子商取引方法として提供されてもよい。
【０１０１】
本発明は、ユーザ端末１０、店舗端末２０、又はサーバ装置３０において実行されるプログラムとして提供されてもよい。このプログラムは、インターネットなどの通信回線を介してダウンロードされてもよい。また、このプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【０１０２】
本発明は、ユーザ端末から身分証のデータを受信する受信手段と、前記身分証を用いた本人確認の結果を含むユーザデータを取得する第１取得手段と、前記ユーザを識別するユーザ識別子、ユーザが実店舗において借りた商品を識別する商品識別子、及び当該実店舗を識別する店舗識別子を含むレンタル情報を取得する第２取得手段と、前記ユーザ識別子、前記商品識別子、及び前記店舗識別子の組を記録する第１データベースと、前記第１データベースに記録されている情報に基づいて他の装置に情報を出力する出力手段とを有するサーバ装置を提供してもよい。
【０１０３】
また、本発明は、ユーザを識別するユーザ識別子、ユーザが実店舗において借りた商品を識別する商品識別子、及び当該実店舗を識別する店舗識別子を含むレンタル情報を記憶する第１データベースと、ユーザ識別子及び商品識別子を含むアフィリエイト申請をユーザ端末から受信すると、前記第１データベースから当該ユーザ識別子及び当該商品識別子を含むレンタル情報を抽出し、当該抽出されたレンタル情報に含まれる店舗識別子に応じた情報を含む、前記商品を購入するためのリンクを前記ユーザ端末に送信する送信手段と、前記リンクを特定する情報を含む前記商品の購入要求を受信すると、当該購入要求を第２データベースに記録する記録手段と、前記第２データベースに記録された購入要求を集計し、当該集計結果に基づいて前記商品の販売に係る売上げの一部を前記実店舗に分配する分配手段とを有するサーバ装置を提供してもよい。
【０１０４】
このサーバ装置は、前記第１データベースに記録されている情報に基づいて、前記ユーザに対し商品を推薦してもよい。
【０１０５】
前記第１データベースに記録される情報の組が、前記ユーザに前記商品を貸し出した店員を識別する店員識別子を含んでもよい。
【０１０６】
このサーバ装置は、前記第２データベースに記録された購入要求を店員毎に集計し、当該集計結果に基づいて前記店員の貢献度を計算する計算手段を有してもよい。
【０１０７】
さらに、本発明は、ユーザ端末から身分証のデータを受信するステップと、前記身分証を用いた本人確認の結果を含むユーザデータを取得するステップと、前記ユーザを識別するユーザ識別子、ユーザが実店舗において借りた商品を識別する商品識別子、及び当該実店舗を識別する店舗識別子を含むレンタル情報を取得するステップと、前記ユーザ識別子、前記商品識別子、及び前記店舗識別子の組を第１データベースに記録するステップと、前記第１データベースに記録されている情報に基づいて他の装置に情報を出力するステップとを有する電子商取引方法を提供してもよい。
【０１０８】
さらに、本発明は、ユーザを識別するユーザ識別子、ユーザが実店舗において借りた商品を識別する商品識別子、及び当該実店舗を識別する店舗識別子を含むレンタル情報を第１データベースに記録するステップと、ユーザ識別子及び商品識別子を含むアフィリエイト申請をユーザ端末から受信すると、前記第１データベースから当該ユーザ識別子及び当該商品識別子を含むレンタル情報を抽出し、当該抽出されたレンタル情報に含まれる店舗識別子に応じた情報を含む、前記商品を購入するためのリンクを前記ユーザ端末に送信するステップと、前記リンクを特定する情報を含む前記商品の購入要求を受信すると、当該購入要求を第２データベースに記録するステップと、前記第２データベースに記録された購入要求を集計し、当該集計結果に基づいて前記商品の販売に係る売上げの一部を前記実店舗に分配するステップとを有する電子商取引方法を提供してもよい。
【０１０９】
上述した第１実施形態において、エンドユーザには有料会員と無料会員が含まれてもよい。この場合、運営会社は、有料会員から会費を徴収する。一方、無料会員は、会費がかからない。この場合、有料会員に提供されるサービスは、無料会員に提供されるサービスと異なってもよい。例えば無料会員は最大９０分の貸し出しを受けることができるのに対し、有料会員は最大１８０分の貸し出しを受けられる等、有料会員は、無料会員よりも貸し出し時間が長くてもよい。また、有料会員は、一度に８点の商品の貸し出しを受けられる等、無料会員よりも一度に貸し出しを受けられる点数が多くてもよい。
【０１１０】
上述した第２実施形態において、ユーザＡは、必ずしも商品の貸し出しを受けなくてもよい。例えばユーザＡは、店舗へ行き、この店舗の店舗識別子と所望の商品の商品識別子とを示すコードを撮像部１３Ａを用いて読み取り、後日、ＥＣサイトにおいてこの商品を購入してもよい。このコードは、単一のコードであってもよいし、複数のコードであってもよい。例えば店舗識別子と商品識別子との両方を示す商品コードが用意されていてもよい。あるいは、店舗識別子を示す店舗コードと商品識別子を示す商品コードとが別々に用意されており、ユーザＡは、店舗コードと商品コードとを順に読み取ってもよい。この場合、ＥＣサイトにおいてユーザＡが購入した商品の売上げの一部が店舗に分配されてもよい。ただし、この場合には、店舗において店員による接客応対が行われていないため、店員には売上げが分配されなくてもよい。
【０１１１】
上述した第２実施形態において、店舗がテナントとして商業施設に入っている場合、商業施設も販売促進に寄与したと捉え、商業施設にも売上げが分配されても良い。この場合、レンタル情報には、店舗が入っている商業施設を識別するための施設識別子が含まれてもよい。この変形例によれば、店舗がテナントとして商業施設に入っている場合、商業施設も販売促進に寄与したと捉え、商業施設にも売上げが分配することができる。
【０１１２】
上述した第３実施形態において、ユーザＡは飲食店の様子をライブ配信してもよい。この場合、例えばユーザＢがこのライブ配信を見てこの飲食店の予約を取ると、ユーザＡに報酬が支払われてもよい。この場合、ユーザＢが飲食店の予約をする際に、例えばユーザＡのライブ配信を見たことが伝えられ、サーバ装置３０にユーザＡの識別子が入力されてもよい。この予約は、店頭において行われてもよいし、電話を用いて行われてもよいし、オンラインで行われてもよい。他の例において、このライブ配信においてユーザＡのユーザ識別子が含まれるクーポンが配信されてもよい。このクーポンには予め有効期限が設定されている。ユーザＢは、クーポンをダウンロードする。そして、ユーザＢが有効期限内に対象の飲食店においてクーポンを使用すると、サーバ装置３０にクーポンの内容が入力され、ユーザＢの売上げの一部がユーザＡに分配されてもよい。さらに他の例において、ユーザＢは、ユーザＡのライブ配信を見て、対象の飲食店をお気に入りリストに追加してもよい。このお気に入りリストには、対象の飲食店と関連付けてユーザＡの識別子が含まれる。このお気に入りリストは、サーバ装置３０内に記憶されていてもよいし、サーバ装置３０がアクセスし得る場所に記憶されていてもよい。後日、ユーザＢがこの飲食店に訪問して決済を行うと、ユーザＢのお気に入りリストに基づいて、その売上げの一部がユーザＡに分配されてもよい。
【符号の説明】
【０１１３】
１：電子商取引システム、１０：ユーザ端末、２０：店舗端末、３０：サーバ装置、３０１：受信手段、３０２：受け付け手段、３０３：生成手段、３０４：出力手段、３０５：決済処理手段、３０６：分配手段、３０７：推薦手段
【図１】
2020030782.tif 000003
【図２】
2020030782.tif 000004
【図３】
2020030782.tif 000005
【図４】
2020030782.tif 000006
【図５】
2020030782.tif 000007
【図６】
2020030782.tif 000008
【図７】
2020030782.tif 000009
【図８】
2020030782.tif 000010
【図９】
2020030782.tif 000011
【図１０】
2020030782.tif 000012
【図１１】
2020030782.tif 000013
【図１２】
2020030782.tif 000014
【図１３】
2020030782.tif 000015
【図１４】
2020030782.tif 000016
【図１５】
2020030782.tif 000017
【図１６】
2020030782.tif 000018
【図１７】
2020030782.tif 000019
【図１８】
2020030782.tif 000020